(57)【要約】【課題】  本考案の課題は、撮影時にカメラケースを利用して、カメラを持つ腕を首や肩だけではなく、複数の点で支えることで、カメラを重さを分散させ、撮影時の腕、首や肩にかかる負担を軽減させることができるカメラケースを提供することにある。【解決手段】  本考案のカメラケースは、撮影時に不要となるカメラの収容体を利用して、カメラの重さがかかる腕を２点で支えることができるため、手振れを防止できると共に、カメラを持つ腕や、首又は肩にかかる負担を分散することができる。したがって、長時間の撮影であっても手や腕への疲労が軽減でき、疲労に由来する手振れも防止することができる。【選択図】図１
0003133640.tif 000002
【実用新案登録請求の範囲】
【請求項１】
カメラを収容するカメラケースであって、
上面に開閉可能な開口を有し、内側全面に衝撃吸収部材を備えた収容体と、
両端部が前記収容体の外側側面に着脱自在に備えられ、首又は肩に引っ掛けることで、少なくとも前記カメラによる撮影時に前記収容体を脇の間又は肘と腹部との間に配置できる長さとなるように調節可能な第１帯状体と、
前記第１帯状体に両端部が着脱自在に備えられる第２帯状体と、
前記第２帯状体の中央近傍に着脱自在に備えられ、両端部を接続することで手又は腕に巻き付けられるように装着される巻き付け帯とを有することを特徴とするカメラケース。
【請求項２】
前記第１帯状体の両端部には第１フック部材が備えられ、
前記収容体は、前記開口に対向する底面を略矩形とし、
前記収容体の前記底面に立設する側面のうち対向する２つの外側側面のそれぞれの面には、
前記外側側面の前記開口近傍に備えられ、前記カメラの収容時に前記第１フック部材が引っ掛けられる第１環状部材と、
前記外側側面の中央近傍に備えられ、前記カメラによる撮影時に前記第１フック部材が引っ掛けられる第２環状部材とが備えられることを特徴とする請求項１に記載のカメラケース。
【請求項３】
前記第２帯状体の両端部には第２フック部材が備えられ、
前記第１帯状体には、前記第２フック部材を引っ掛ける引っ掛け部材が複数備えられていることを特徴とする請求項２に記載のカメラケース。
【請求項４】
前記第２帯状体の長手方向中央近傍には第３フック部材が備えられ、
前記巻き付け帯には、長手方向中央近傍に前記第３フック部材を引っ掛ける第３環状部材と、両端部に該両端部を接続するための面ファスナとが備えられていることを特徴とする請求項３に記載のカメラケース。
【請求項５】
前記収容体の前記第１環状部材及び前記第２環状部材が備えられた２つの側面に隣接する２つの側面のうちの任意の１つの側面の外側には、腰に巻き付ける腰巻帯状体と、前記腰巻き帯状体を折り畳んで収納する収納部とを有することを特徴とする請求項４に記載のカメラケース。
【考案の詳細な説明】
【技術分野】
【０００１】
本考案は、カメラでの撮影時にカメラを持つ腕を支えることができるカメラケースに関するものである。
【背景技術】
【０００２】
ビデオカメラをはじめとするカメラは、撮影時、カメラを撮影者の顔の付近で留めておく必要がある。通常この場合、脇を少し空けた状態で維持しなければならない。したがって、腕や肩に疲労が溜まり長時間の撮影が困難であった。又、この疲労が手振れの原因となり、きれいな画像を撮影することが難しくなる。これは、長時間の撮影を行うビデオカメラにおいて特に顕著となる。
【０００３】
このような問題点を解決するために、手首、下腕、肘と上腕を保持し、それぞれの相対的な位置を一定に保つことができる手振れ防止装置がある（例えば、特許文献１参照）。また、ループ状の帯状体に人の首や肩に引っ掛けるための引っ掛け部と、人の肘を支えるための肘受け部が形成された手振れ防止具がある（例えば、特許文献２参照）。
【０００４】
【特許文献１】特開２００１−３４３７０１号公報
【特許文献２】特開２００２−１４４１８号公報
【考案の開示】
【考案が解決しようとする課題】
【０００５】
しかしながら、特許文献１に示された手振れ防止装置は、腕や肘を固定するために金属やプラスチックなど棒体あるいは板状部材を利用して構成されるもので、一般に手振れ防止のために使用される一脚や三脚と同様に大がかりな装置であり、携帯するには不向きである。また、手振れ防止装置自身が比較的重いものであると考えられ、この装置を装着することで、かえって腕全体に疲労が溜まってしまう可能性がある。
【０００６】
一方、特許文献２に示された手振れ防止具は、簡易的な器具であるものの、首や肩のみに引っ掛けるものであるため、カメラの重さの全てが腕を支える首や肩の１点に集中する。すなわち、首や肩にだけ負担がかかってしまい、長時間の撮影には不向きである。
【０００７】
ところで、従来、カメラを収容するカメラケースは、カメラの形状に合わせた開口を有する収容体を本体とし、カメラを携帯する際に利用されている。しかしながら、そのカメラによる撮影時には、その収容体からカメラを取り出して利用するため、カメラケースは不要となる。すなわち、カメラケースは撮影時に邪魔となっていた。
【０００８】
そこで、本考案は、上記実状に鑑み、撮影時にカメラケースを利用して、カメラを持つ腕を首や肩だけではなく、複数の点で支えることで、カメラを重さを分散させ、撮影時の腕、首や肩にかかる負担を軽減させることができるカメラケースを提供することを目的とする。
【課題を解決するための手段】
【０００９】
本考案のカメラケースは、カメラを収容するカメラケースであって、上面に開閉可能な開口を有し、内側全面に衝撃吸収部材を備えた収容体と、両端部が前記収容体の外側側面に着脱自在に備えられ、首又は肩に引っ掛けることで、少なくとも前記カメラによる撮影時に前記収容体を脇の間又は肘と腹部との間に配置できる長さとなるように調節可能な第１帯状体と、前記第１帯状体に両端部が着脱自在に備えられる第２帯状体と、前記第２帯状体の中央近傍に着脱自在に備えられ、両端部を接続することで手又は腕に巻き付けられるように装着される巻き付け帯とを有することを特徴とする。
【００１０】
本考案のカメラケースによれば、第１帯状体の長さを、収容体を脇の間又は肘と腹部との間に配置するような長さとすることで、カメラによる撮影時に収容体を脇の間又は肘と腹部との間に挟んで腕を支える。そして、腕や手に巻き付けられた巻き付け帯を第２帯状体の中央近傍に備え、その第２帯状体の両端部を第１帯状体の略中央から均等な位置に備えることで、第２帯状体を介して手や腕を第１帯状体が引っ掛けられる首又は肩で支持する。
【考案の効果】
【００１１】
すなわち、本考案のカメラケースは、撮影時に不要となるカメラの収容体を利用して、カメラの重さがかかる腕を２点で支えることができるため、手振れを防止できると共に、カメラを持つ腕や、首又は肩にかかる負担を分散することができる。したがって、長時間の撮影であっても手や腕への疲労が軽減でき、疲労に由来する手振れも防止することができる。
【００１２】
また、本考案のカメラケースは、カメラを収容する収容時に第２帯状体及び巻き付け帯状体をカメラケースに収容し、第１帯状体を首又は肩に引っ掛けることで、カメラを収容した収容体をぶら下げて携帯することもでき、大がかりな装置とは異なり、携帯性に優れている。
【考案を実施するための最良の形態】
【００１３】
以下、本考案のカメラケースについて、図面を参照しながら詳細に説明する。なお、本考案においては、以下の記述に限定されるものではなく、本考案の要旨を逸脱しない範囲において適宜変更可能である。なお、本考案において、カメラを収容体に収容している状態すなわち、カメラによる撮影を行っていない状態は、カメラ収容時とする。また、本考案において、利用者がカメラを持って肘を曲げ、カメラのファインダーを顔に近づけた状態をカメラ撮影時とする。
【００１４】
本考案のカメラケースは、図１のように、収容体５と、第１帯状体１と、第２帯状体２と、巻き付け帯３とを有している。
【００１５】
収容体５は、図２のように、底面５５を略矩形とし、この底面５５の各辺から側面５６，５７，５８，５９が立設し、底面５５に対向する上面に開口５０を有する部材である。ここで説明するカメラケースの収容体５の開口５０には、図２のような開口５０を塞ぐ蓋体５１が備えられているが、本考案は、この開口５０からカメラが収容可能となっていればこれに限定されるものではない。例えば、蓋体５１の代わりに開口５０を塞ぐようなファスナが備えられていてもよい。この収容体５の大きさとしては、カメラにあわせて適宜変更される。また、収容体５の材質としては、布や革といったものが使用可能である。
【００１６】
この収容体５の内側側面５６，５７，５８，５９には、衝撃を吸収する衝撃吸収部材５２が備えられている。底面５５にもこの衝撃吸収部材５２が備えられている。この衝撃吸収部材５２としては、弾力があり比較的硬質な材質のものを適用するか、例えばウレタン樹脂や天然又は合成ゴムなどが挙げられる。
【００１７】
衝撃吸収部材５２を弾力があり比較的硬質な材料とすることで、衝撃吸収部材５２が備えられる側面５６，５７，５８，５９及び底面５５は、変形しにくくなる。したがって、衝撃吸収部材５２により、各側面５６，５７，５８，５９は、開口５０側よりも、底面５５側の方が変形しにくくなる。これにより、底面５５から開口５０に向かって、収容体５が先細りとなるような形状となる。この収容体５が、第１帯状体１によって、開口５０が脇に接触するあるいは脇の方向に向けられるように備えられることで、収容体５が脇の間又は肘と腹部の間の形状に合った形状となる。すなわち、腕と接触する収容体５の側面全体で腕を支えることができるため、撮影時に脇の間又は肘と腹部の間にカメラケースを挟むことで、長時間の撮影であっても腕に負担がかからず、第１帯状態をかける首又は肩だけに負担がかかることがなくなる。また、衝撃吸収部材５２は、硬質であるため、収容体５の形状がある程度維持することができる。さらに、カメラ収容時には、カメラを保護することができる。
【００１８】
この収容体５には、略矩形状の蓋体５１が備えられている。この蓋体５１は、開口５０を塞ぐことができる程度の大きさを有し、その１辺が側面５８と接続されている。そして、蓋体５１は、側面５８から対向する側面５６に向かって開口５０を覆うことで収容体５を塞ぐことができる。
【００１９】
収容体５の外側側面５７，５９には、第１環状部材５３がそれぞれ備えられている。この第１環状部材５３は、変形しにくい例えば金属や樹脂などで形成された環状の部材である。この第１環状部材５３は、帯状の布や革などで、外側側面５７，５９の開口５０近傍にそれぞれ備え付けられる。外側側面５７，５９の第１環状部材５３は、カメラ収容時に第１帯状体の第１フック部材１０が引っ掛けられる。
【００２０】
また、収容体５の外側側面５７，５９には、第２環状部材５４がそれぞれ備えられている。この第２環状部材５４は、変形しにくい例えば金属や樹脂などで形成された環状の部材である。この第２環状部材５４は、帯状の布や革などで、外側側面５７，５９の略中央にそれぞれ備え付けられる。外側側面５７，５９の第２環状部材５４は、カメラ撮影時に、第１帯状体の第１フック部材１０が引っ掛けられる。
【００２１】
第１帯状体１は、長さを調節するための尾錠１９が設けられた例えば布製又は革製の帯状の部材で、その両端に例えば金属製又は樹脂製の第１フック部材１０が備えられている。この第１フック部材１０は、上述の第１環状部材５３や第２環状部材５４に引っ掛けられるフック状の部材で、引っ掛けた第１環状部材５３や第２環状部材５４から不用意に外れないように止め金１１が備え付けられている。この第１フック部材１０により、第１帯状体１は、収容体５の外側側面５７，５９に着脱自在に取り付けられる。この第１フック部材１０及び止め金１１の大きさは特に限定するものではない。
【００２２】
この第１帯状体１は、金属製又は樹脂製の尾錠１９によって調節可能となっているため、カメラによる撮影時に、第１帯状体１を首又は肩に引っ掛けることで、少なくとも収容体５が脇の間又は肘と腹部との間に配置される長さに調節できればどのような長さであっても良い。また、第１帯状体１の太さは限定されるものではない。
【００２３】
第１帯状体１には、後述する第２帯状体２の第２フック部材２０が備え付けられる引っ掛け部材１８が複数、等間隔に備えられている。この引っ掛け部材１８は、第１帯状体１の幅方向中央を挟むように設けられた２つの穴１８０，１８１からなる。引っ掛け部材１８を構成するこの２つの穴１８０，１８１の間隔は、第２フック部材２０が引っ掛けることができるように、第２フック部材２０の大きさ、形状により適宜変更される。
【００２４】
この引っ掛け部材１８が設けられる位置としては、特に限定するものではないが、第１フック部材１０が備えられた端部よりも長手方向中央近傍に備えられている方が好ましい。この引っ掛け部材１８に第２フック部材２０が引っ掛けられる。
【００２５】
第２帯状体２は、例えば布製又は革製の帯状の部材で、両端に第２フック部材２０と、長手方向中央近傍に第３フック部材２３が備えられ、カメラ撮影時に第１帯状体１に備えられて使用される。この第２帯状体２は、カメラ収容時には、収容体５にカメラと共に収容される。
【００２６】
この第２フック部材２０は、第１フック部材１０と同様に、上述の引っ掛け部材１８に引っ掛けられるフック状の部材で、引っ掛けた引っ掛け部材１８から不用意に外れないように止め金２１が備え付けられている。この第２フック部材２０により、第２帯状体２は、第１帯状体１に着脱自在に取り付けられる。この第２フック部材２０及び止め金２１の大きさは特に限定するものではない。
【００２７】
この第２フック部材２０は、カメラ撮影時において、上述した第１帯状体１の引っ掛け部材１８を構成する２つの穴１８０，１８１に挿通させ、第２フック部材２０が穴１８０，１８１の間に引っかかった状態となるように、引っ掛け部材１８に引っ掛けられる。これにより、第２帯状体２を第１帯状体１に備えることができる。
【００２８】
第３フック部材２３は、第１フック部材１０と同様に、後述する巻き付け帯３の第３環状部材３３に引っ掛けられるフック状部材で、引っ掛けた第３環状部材３３から不用意に外れないように止め金２４が備え付けられている。この第３フック部材２３により、巻き付け帯３は、第２帯状体２に着脱自在に取り付けられる。この第３フック部材２３及び止め金２４の大きさは特に限定するものではない。
【００２９】
この第２帯状体２の長さとしては、カメラによる撮影時に、第１帯状体１及び巻き付け帯３に備えられることで、少なくともカメラの撮影時に、カメラが顔の前に位置し、第２帯状体２が張っている状態となるような長さであれば特に限定するものではない。また、第２帯状体２の太さは限定するものではなく、第１帯状体１と同様の太さでよい。
【００３０】
巻き付け帯３は、例えば布製又は革製の帯状の部材で、両端にマジックテープ（登録商標）といった面ファスナ３１，３２とを備えた帯状の部材で、カメラ撮影時に手や腕に巻き付けられ、第２帯状体に備えられて使用される。この巻き付け帯３は、カメラ収容時に、収容体５にカメラと共に収容される。また、巻き付け帯３の長手方向略中央には、第３環状部材３３が備えられている。
【００３１】
第３環状部材３３は、第１環状部材５３と同様で、変形しにくい例えば金属や樹脂などで形成された環状の部材である。この第３環状部材３３は、帯状の布などで、巻き付け帯３の長手方向略中央に備え付けられている。
【００３２】
この巻き付け帯３は、カメラを構えた際に、第３環状部材３３と顔とが向かい合うような位置となるように、手又は腕に巻き付けられ、面ファスナ３１，３２によって手又は腕に固定されるように装着される。そして、カメラ撮影時に第３環状部材３３に第２帯状体２の第３フック部材２３が引っ掛けられる。
【００３３】
この巻き付け帯３には、幅方向端部の一方に、指を通す穴を備え付けていても良い。これにより、巻き付け帯３を手に装着する際に、指をその穴に通すことができ、巻き付け帯３がずれたりせず、第２帯状体２によって安定して腕を保持することができる。すなわち、腕にかかる負担が軽減される。
【００３４】
このような構成を有する本考案のカメラケースについて、カメラ収容時とカメラ撮影時とに分けて説明する。
【００３５】
図３は、カメラを収容した状態のカメラケースを示す図である。カメラ収容時では、カメラがカメラケースの収容体５に収容される。このとき、第２帯状体２及び巻き付け帯３は、カメラと一緒に収容体５の内部に収容される。第１帯状体１は、その両端部にある第１フック部材１０を収容体５の外側側面５７，５９に備えられている第１環状部材５３に引っ掛けられることで、収容体５に備えられている。これにより、第１帯状体１を首又は肩に引っ掛けることで、カメラを携帯することができる。
【００３６】
図４は、カメラによる撮影を行う状態のカメラケースを示す図である。カメラ撮影時では、カメラがカメラケースの収容体５から取り出される。そして、本考案のカメラケースにカメラと一緒に収容されていた第２帯状体２及び巻き付け帯３が取り出される。
【００３７】
カメラ撮影時の前からカメラバックの収容体５の外側側面５７，５９の第１環状部材５３に引っ掛けられている第１フック部材１０を取り外し、第２環状部材５４に引っ掛ける。すなわち、収容体５の側面に備えられた第１帯状体１を付け替える。
【００３８】
そして、付け替えられた第１帯状体１を首又は肩に引っ掛ける。このとき、収納体５が脇の間又は肘と腹部との間に配置されるように、尾錠１９を利用して、第１帯状体１の長さを調節する。これにより、首又は肩に第１帯状体１を引っ掛けることで、脇の間又は肘と腹部との間に収納体５を挟み込むことができる。
【００３９】
第１帯状体１の引っ掛け部材１８には、第２帯状体２の両端に備えられている第２フック部材２０が引っ掛けられる。これにより、第２帯状体２を第１帯状体１に備えることができる。
【００４０】
巻き付け帯３は、手又は手首に巻き付けられ、両端に備えられた面ファスナ３１，３２によって手又は腕に装着される。このとき、巻き付け帯３に備えられている第３環状部材３３が、カメラ撮影時に顔と向かい合うような位置となるように巻き付け帯３を手又は腕に巻き付ける。
【００４１】
巻き付け帯３が手又は手首に装着された後、巻き付け帯３の第３環状部材３３に、第１帯状体１に備えられた第２帯状体２の長手方向中央近傍にある第３フック部材２３を引っ掛ける。
【００４２】
この状態で、カメラを持つことで、カメラが顔の前に配置され、カメラを構えることができる。このとき、カメラを構える腕は、手又は腕に巻き付けられた巻き付け帯３及び第２帯状体２とを介して、第１帯状体１が引っ掛けられている首又は肩と、脇の間又は肘と腹部との間に配置された収納体５との２箇所で支えられている。したがって、腕にかかるカメラの重みは、首又は肩と、脇又は腹部とに分散するため、腕や首又は肩にかかる負担が軽減される。
【００４３】
さらに、カメラ撮影時、第２帯状体２は、巻き付け帯３の第３環状部材３３に引っ掛けられる第３フック部材２３と、第１帯状体１の引っ掛け部材１８に引っ掛けられる２つの第２フック部材２０によって支持される。すなわち、第２帯状体２を張った状態とすることで、カメラの位置が固定され、手振れが抑制される。したがって、カメラの重みを利用して、第２帯状体２を張った状態としてカメラ撮影を行うことで、手振れを気にして腕を固定するように努める必要もない。すなわち、長時間の撮影であっても腕に負担がかからない。したがって、より手振れを抑制することができる。
【００４４】
第１帯状体１の第１フック部材１０が収容体５の外側側面５７，５９の中央近傍の第２環状部材５４に引っ掛けられることで、第１帯状体１は、収容体５の外側側面５７，５９の側面に備えられる。これにより、収納体５にカメラや腕の重さがかかったとしても、第１帯状体が収納体５から外れにくくなり、安定して腕を支えることができる。したがって、長時間の撮影であっても腕に負担がかかりにくくなる。
【００４５】
以上のように、本考案のカメラケースは、カメラ撮影時に、カメラを持つ腕を複数の点で支えるために、カメラを収容する収納体５が利用される。したがって、従来カメラ撮影時には不要であったカメラケースが邪魔とならず、カメラの重みを分散させることができる。これにより、腕や首や肩にかかる負担及び疲労が軽減され、長時間の撮影に耐えることが可能となる。また、第１帯状体１、第２帯状体２、巻き付け帯３及び収容体５で腕を支えることによる手振れだけでなく、負担及び疲労が軽減されることで、より手振れも防止でき、より鮮明な画像を撮影することができる。
【００４６】
さらに、カメラ収容時には、第２帯状体２及び巻き付け帯３は、三脚や一脚やその他の大がかりな装置とは異なり、収容体５に納めることができるため、第１帯状体１を首又は肩に掛けることで、通常のカメラケースとしてカメラと共に第２帯状体２及び巻き付け帯３を携帯することができる。
【００４７】
上述では、図１乃至図４のような蓋体５１を有するカメラケースについて説明したが本考案は、これに限定されるものではなく、蓋体の代わりに、開口５０を塞ぐようにファスナが設けられていてもよい。この場合も、上述と同様の効果が得られる。
【００４８】
ここで、本考案の別の実施の形態について説明する。ここで説明するカメラケースは、図５のように、上述したカメラケースの蓋体５１の代わりに開口５０を塞ぐようなファスナ６１が備えられたもので、収容体５の外側側面５８には、腰に巻き付ける腰巻帯状体４と、腰巻帯状体４を収納する収納部４５が備えられている。それ以外の部材については、上述したカメラケースと同様であるため、説明は省略する。
【００４９】
腰巻帯状体４は、長さを調節するための尾錠４９が設けられた例えば布製又は革製の帯状の部材で、長手方向一方端部に三つ又状の係止部４０と、長手方向他方端部に係止部４０と勘合することで係止する係止受部４１が備えられている。この係止部４０及び係止受部４１は、金属製又は樹脂製からなる部材で、勘合することで、腰巻帯状体４を環状とする。そして、この腰巻帯状体４の長手方向中央近傍は、収納体５の外側側面５８に固定されている。
【００５０】
したがって、この腰巻帯状体４を腰に巻き付け、腰巻帯状体４の両端部の係止部４０及び係止受部４１を勘合させることで、本考案のカメラケースを腰に装着することができる。この腰巻帯状体４の長さは、調節可能であるため、特に限定するものではないが、少なくともカメラ収容時に腰巻帯状体４を腰に巻き付け、係止部４０及び係止受部４１を勘合させることができる程度の長さを有していればよい。
【００５１】
また、収容体５の外側側面５８には、腰巻帯状体４が備えられている箇所を覆うように、収納部４５が備えられている。この収納部４５は、図５のように、被覆部材４５０と取付部材４５１とにより構成されている。被覆部材４５０は、収容体５の外側側面５８を覆うような、所定の大きさの布製又は革製などからなる矩形状の部材で、その底辺４５０ａが収容体５の外側側面５８の底面５５側に固定されている。この被覆部材４５０は、上述した衝撃吸収部材を内部に備えていてもよい。
【００５２】
取付部材４５１は、被覆部材４５０の上辺４５０ｂを収容体５の外側側面５８の開口５０の近傍に着脱自在に取り付けることができる、例えばボタンや面ファスナといった部材である。この取付部材４５１で収容体５の外側側面５８に被覆部材４５０の上辺４５０ｂが取り付けられることで、被覆部材４５０と収容体５の外側側面５８との間に隙間が形成される。本考案のカメラケースは、この隙間に、腰巻帯状体４を折り畳んで収納することができる。
【００５３】
このようなカメラケースは、カメラ収容時、腰巻帯状体４を収納部４５から取り出して、腰に巻き付け、係止部４０と係止受部４１とを勘合させることで、収容体５にカメラを収容したカメラケースを腰に装着することができる。このとき、第１帯状体１、第２帯状体２、及び、巻き付け帯４は、カメラと共に収容体５に収容され、カメラケースによって携帯される。
【００５４】
また、カメラ撮影時には、第１帯状体１、第２帯状体２、及び、巻き付け帯４を収容体５から取り出して、上述のように装着することで、腕や首又は肩にかかる負担を軽減することができ、長時間の撮影に耐えることが可能となる。また、第１帯状体１、第２帯状体２、巻き付け帯３及び収容体５で腕を支えることによる手振れだけでなく、負担及び疲労が軽減されることで、より手振れも防止でき、より鮮明な画像を撮影することができる。また、腰巻帯状体４を収納部４５に収納することができるため、カメラ撮影時に腰巻帯状体４が邪魔となることがない。すなわち、カメラ撮影時に余計な負担がかからず、長時間のカメラ撮影を行うことができる。
【００５５】
上述した収納部４５の構成は一例であり、これに限定するものではない。例えば、被覆部材４５０と収容体５の外側側面５８にファスナを設け、この中に腰巻帯状体４を収納しても良い。
【００５６】
以上のように、本考案のカメラケースは、腕を複数の点で支えることで、腕にかかる負担を分散することができる。したがって、長時間の撮影であっても、腕にかかる負担が軽減するため、疲労が蓄積しにくくなる。これにより、疲労による手振れをさらに防止することも可能となる。
【図面の簡単な説明】
【００５７】
【図１】本考案のカメラケースの一例を示す図である。
【図２】本考案のカメラケースのカメラ収容時の収容体を説明する図である。
【図３】カメラ収容時における本考案のカメラケースを示す図である。
【図４】カメラ撮影時における本考案のカメラケースを示す図である。
【図５】本考案のカメラケースの別の一例を示す図である。
【符号の説明】
【００５８】
１  第１帯状体
１０  第１フック部材
１１  止め金
１８  引っ掛け部材
１８０，１８１  穴
１９  尾錠
２  第２帯状体
２０  第２フック部材
２１  止め金
２３  第３フック部材
２４  止め金
３  巻き付け帯
３１，３２  面ファスナ
３３  第３環状部材
４  腰巻帯状体
４０  係止部
４１  係止受部
４５  収納部
４５０ａ  底辺
４５０ｂ  上辺
４５０  被覆部材
４５１  取付部材
４９  尾錠
５  収容体
５０  開口
５１  蓋体
５２  衝撃吸収部材
５３  第１環状部材
５４  第２環状部材
５５  底面
５６，５７，５８，５９  側面
６１  ファスナ
【図１】
0003133640.tif 000003
【図２】
0003133640.tif 000004
【図３】
0003133640.tif 000005
【図４】
0003133640.tif 000006
【図５】
0003133640.tif 000007